(57)【要約】【課題】トレーニの事故復旧操作および復旧までの手順を記録する負担を低減させた電力系統シミュレータ装置を提供する。【解決手段】  演算部Ｃは、トレーナ卓Ｔ３から入力された電力系統モデルに基づき電力系統を模擬する電力系統モデル模擬部１と、模擬された電力系統において、トレーナ卓Ｔ３から入力された事故設定情報Ｉと、トレーニ卓Ｅ４から入力された操作情報Ｏとに基づいて、電力系統を解析する電力系統解析部２と、電力系統の解析結果を時系列に記録する電力系統応動記録部３と、トレーナ側の表示装置Ｔ１とトレーニ側の表示装置Ｅ１とに、記録された解析結果を出力する応動表示部４と、トレーナ側の記録手段およびトレーニ側の記録手段の記録内容と、記録された解析結果と、を時系列で関連付けて訓練記録として記録する訓練結果記録部５と、を備える。【選択図】図１
2016001280.tif 000002
【特許請求の範囲】
【請求項１】
トレーナ側に、電力系統の応動を表示する表示装置と、トレーナの言動に関する情報を記録する記録手段と、トレーナが訓練設定操作を行うトレーナ卓と、を備え、
トレーニ側に、電力系統の応動を表示する表示装置と、トレーニの言動に関する情報を記録する記録手段と、トレーニが事故復旧操作を行うトレーニ卓と、を備え、
前記トレーナ側の機器と前記トレーニ側の機器は、前記トレーナ卓と前記トレーニ卓からの入力に基づいて電力系統の応動を模擬する演算部に接続され、
前記演算部は、
前記トレーナ卓から入力された電力系統モデルに基づき電力系統を模擬する電力系統モデル模擬部と、
模擬された電力系統において、前記トレーナ卓から入力された事故設定情報と、前記トレーニ卓から入力された操作情報とに基づいて、電力系統を解析する電力系統解析部と、
電力系統の解析結果を時系列に記録する電力系統応動記録部と、
前記トレーナ側の前記表示装置と前記トレーニ側の前記表示装置とに、記録された解析結果を出力する応動表示部と、
前記トレーナ側の記録手段および前記トレーニ側の記録手段の記録内容と、前記記録された解析結果と、を時系列で関連付けて訓練記録として記録する訓練結果記録部と、を備えることを特徴とする電力系統訓練シミュレータ装置。
【請求項２】
前記記録手段は、前記トレーニ側に設けられた訓練中のトレーニを撮影する撮影手段であり、
前記訓練結果記録部は、前記訓練記録に、前記撮影手段により撮影された映像を時系列で関連付けて記録することを特徴とする請求項１記載の電力系統訓練シミュレータ装置。
【請求項３】
前記記録手段は、前記トレーニ側および前記トレーナ側に設けられた通話手段であり、
前記訓練結果記録部は、前記訓練記録に、前記通話手段による通話内容を時系列で関連付けて記録することを特徴とする請求項１又は２記載の電力系統訓練シミュレータ装置。
【請求項４】
前記演算部は、音声認識部をさらに備え、
前記音声認識部は、前記通話手段の通話内容をテキストファイルに変換し、前記テキストファイルから任意の文字列を抽出することを特徴とする請求項３記載の電力系統シミュレータ装置
【請求項５】
前記電力系統の解析結果が、電力系統の機器の状態を示す機器データを含むことを特徴とする請求項１〜４いずれか１項記載の電力系統訓練シミュレータ装置。
【請求項６】
前記電力系統の解析結果が、電力系統の事故の履歴を示す事故データを含むことを特徴とする請求項１〜５いずれか１項記載の電力系統訓練シミュレータ装置。
【請求項７】
前記トレーニ側には、複数の記録手段と複数のトレーニ卓がトレーニ毎に設けられ、
前記訓練結果記録部は、前記トレーナ側の記録手段および複数のトレーニ側の記録手段の記録内容と、前記記録された解析結果と、を時系列で関連付けて訓練記録として記録することを特徴とする請求項１〜６いずれか１項記載の電力系統シミュレータ装置。
【請求項８】
前記演算部は、訓練記録再生部をさらに備え、
前記訓練記録再生部は、前記記録された解析結果と、前記記録手段の記録内容とを、時系列で１つの表示画面に表示するフォーマットに加工することを特徴とする請求項１〜７いずれか１項記載の電力系統シミュレータ装置。
【請求項９】
前記演算部は、事故復旧時間算出部と訓練評価部をさらに備え、
前記事故復旧時間算出部は、トレーニが事故復旧までに要した訓練時間を算出し、
前記訓練評価部は、前記訓練時間に基づいて、訓練内容を評価することを特徴とする請求項１〜８いずれか１項記載の電力系統シミュレータ装置。
【発明の詳細な説明】
【技術分野】
【０００１】
本発明の実施形態は、電力系統の監視・制御を行うシステムの運転者に対して、電力系統の応動を模擬し、電力系統の運用の訓練を行う電力系統訓練シミュレータ装置に関する。
【背景技術】
【０００２】
電力系統訓練シミュレータ装置は、主に、電力系統に生じた事故の復旧の訓練に用いられており、給電連絡所及び給電制御所の運転員の技能を向上させるために用いられている。電力系統訓練シミュレータ装置は、トレーニである運転員を訓練するトレーナが決定した事故の内容に基づいて、電力系統の周波数、電圧・潮流、保護制御等の応動をリアルタイムで再現する。従って、様々な事故の内容の訓練に対応することができる。
【０００３】
従来の電力系統訓練シミュレータ装置は、トレーニ側に、電力系統の応動を表示する表示装置と、トレーナと連絡を取るための電話などの通信装置と、トレーニが事故復旧操作を行うトレーニ卓とを有する。一方、トレーナ側には、電力系統の応動を表示する表示装置と、トレーニと連絡を取るための電話などの通信装置と、トレーナが訓練設定操作を行うトレーナ卓を有する。トレーナ卓では、トレーナが訓練対象となる電力系統に対して電力系統モデルを設定し、事故動作を模擬させるための事故設定を入力する。
【０００４】
トレーナが設定した電力系統モデルおよび事故設定は、演算部に入力される。演算部は、入力された電力系統モデルに従い電力系統の応動を模擬する。また、トレーナが入力した事故設定に基づいて、事故とその事故に対する系統保護のためのリレー動作を模擬する。そして、事故後の電力系統を復旧するためにトレーニが行った事故復旧操作に応じて、電力系統の応動を模擬する。
【先行技術文献】
【非特許文献】
【０００５】
【非特許文献１】幅敏明、小林郁生、増田文雄、蓮池岳司、江幡良雄、林秀樹、大規模電力系統リアルタイムシミュレータ、1981年、東芝レビュー36巻11号、pp1007-1011.
【発明の概要】
【発明が解決しようとする課題】
【０００６】
トレーナは、トレーニが行った事故復旧操作が妥当なものであったかを評価し、評価結果を次の訓練内容に反映することで、訓練効果の向上を図ることが求められる。しかし、従来の電力系統訓練シミュレータ装置を用いた場合、訓練内容の記録はトレーナ又はトレーニの手書きのメモに頼ることとなり、記録に対する操作者の負担が大きくなっていた。手書きのメモからでは、トレーニの操作と電力系統の応動の相関が把握しにくく、評価項目の見落としにつながっていた。また、評価結果を基に次回の訓練計画を作成するには手間がかかり、トレーナの作業負担が増え、非効率的であった。
【０００７】
本発明の実施形態は、上記のような従来技術の問題点を解決するために提案されたものである。その目的は、トレーニの事故復旧操作および復旧までの手順を記録する負担を低減させた電力系統シミュレータ装置を提供することである。
【課題を解決するための手段】
【０００８】
上記のような目的を達成するための実施形態の電力系統シミュレータ装置は、トレーナ側に、電力系統の応動を表示する表示装置と、トレーナの言動に関する情報を記録する記録手段と、トレーナが訓練設定操作を行うトレーナ卓と、を備え、トレーニ側に、電力系統の応動を表示する表示装置と、トレーニの言動に関する情報を記録する記録手段と、トレーニが事故復旧操作を行うトレーニ卓と、を備え、前記トレーナ側の機器と前記トレーニ側の機器は、前記トレーナ卓と前記トレーニ卓からの入力に基づいて電力系統の応動を模擬する演算部に接続され、前記演算部は、前記トレーナ卓から入力された電力系統モデルに基づき電力系統を模擬する電力系統モデル模擬部と、模擬された電力系統において、トレーナ卓から入力された事故設定情報と、トレーニ卓から入力された操作情報とに基づいて、電力系統を解析する電力系統解析部と、電力系統の解析結果を時系列に記録する電力系統応動記録部と、前記トレーナ側の前記表示装置と前記トレーニ側の前記表示装置とに、記録された解析結果を出力する応動表示部と、前記トレーナ側の記録手段および前記トレーニ側の記録手段の記録内容と、前記記録された解析結果と、を時系列で関連付けて記録する訓練結果記録部と、を備えることを特徴とする。
【図面の簡単な説明】
【０００９】
【図１】第一の実施形態の電力系統訓練シミュレータ装置の構成の一例を示すブロック図である。
【図２】第一の実施形態の訓練結果記録部にて記録される訓練記録の一例を示すブロック図である。
【図３】第一の実施形態の電力系統訓練シミュレータ装置の訓練のフローの一例を示すフローチャートである。
【図４】第二の実施形態の電力系統訓練シミュレータ装置の構成の一例を示すブロック図である。
【図５】第二の実施形態の表示画面の構成の一例を示す説明図である。
【図６】第三の実施形態の電力系統訓練シミュレータ装置の構成の一例を示すブロック図である。
【図７】第三の実施形態の表示画面の構成の一例を示す説明図である。
【図８】第四の実施形態の電力系統訓練シミュレータ装置の構成の一例を示すブロック図である。
【発明を実施するための形態】
【００１０】
［第一の実施形態］
［１．構成］
（１）全体構成
以下、本発明の第一の実施形態について、図面を参照して説明する。図１は、本実施形態の電力系統訓練シミュレータ装置の構成の一例を示すブロック図である。電力系統訓練シミュレータ装置は、事故復旧の訓練を行う操作者であるトレーニが操作を行うトレーニ側の機器と、訓練条件を設定しトレーニの訓練内容を評価するトレーナが操作を行うトレーナ側の機器とに接続されている。トレーニ側の機器およびトレーナ側の機器は、それぞれ演算部Ｃに接続されている。
【００１１】
一般的な事故復旧訓練では、複数のトレーニが事故復旧作業に当たる。例えば、事故復旧の監視・制御を行うトレーニが２名、その操作が正しいか否かを確認するトレーニが１名、というように役割分担を行うことで復旧作業の負担が一人に集中することが避けられている。トレーニの人数は適宜変更可能であるが、本実施形態では、トレーニが２名いるものとして説明する。なお、トレーニは１名であっても良い。また、トレーニ側とトレーナ側の機器は同じ室内に設けても良いし、運転ルームにトレーニ側の機器を設け、トレーニ監視ルームにトレーナ側の機器を配置する構成としても良い。
【００１２】
（２）トレーナ側
トレーナ側には、電力系統の応動を表示する表示装置Ｔ１と、トレーナの言動に関する情報を記録する記録手段である通話手段Ｔ２と、トレーナが訓練設定操作を行うトレーナ卓Ｔ３とが設けられている。表示装置Ｔ１は、トレーナ側およびトレーニ側の入力に応じて変化する電力系統の応動を表示する。表示装置Ｔ１としては、ＣＲＴディスプレイを用いることができる。他にも、液晶ディスプレイ、プレズマディスプレイ、及び有機ＥＬディスプレイなどの表示装置を用いても良い。
【００１３】
通話手段Ｔ２は、トレーニ側の通話手段Ｅ２と通話可能に設けられた電話であり、トレーナの発言を記録するための手段である。通話手段Ｔ２としては、固定電話に限られず、携帯電話、ＩＰ電話、インターネット電話等、種々の通話手段を用いることができる。通話手段Ｔ２による通話内容は、トレーナ通話記録Ｒ１として、演算部Ｃの訓練結果記録部５にて記録される。訓練時においては、トレーナは、例えばトレーニが事故復旧作業を行う制御所とは異なる制御所の役割を担当することがある。このような場合に、トレーナは、通話手段Ｔ２を介してトレーニの指示を受領し、他の制御所の操作をかわりに行う。
【００１４】
トレーナ卓Ｔ３は、演算部Ｃに対して電力系統モデルＭと事故設定情報Ｉを入力する入力部を有する。電力系統モデルＭは、訓練対象となる電力系統を模擬するためのデータであり、模擬のために必要な負荷電力、発電機出力、遮断器の開閉状態等の情報を含む。電力系統モデルＭは、演算部Ｃの電力系統モデル模擬部１に入力される。
【００１５】
事故設定情報Ｉは、設定された電力系統モデルＭにおける事故動作を模擬するためのデータであり、事故シナリオ、事故発生時刻、事故継続時間、事故様相等の情報を含む。事故設定情報Ｉは、演算部Ｃの電力系統解析部２に入力される。トレーナは、トレーナ卓Ｔ３を介して、訓練対象となる電力系統モデルＭを設定し、この電力系統モデルで発生する事故設定情報Ｉを訓練毎に演算部Ｃに入力する。
【００１６】
（３）トレーニ側
トレーニ側には、電力系統の応動を表示する表示装置Ｅ１と、トレーニの言動に関する情報を記録する記録手段である通話手段Ｅ２と撮影手段Ｅ３と、トレーニが事故復旧操作を行うトレーニ卓Ｅ４と、電力系統の応動を表示する系統盤Ｅ５が設けられている。表示装置Ｅ１は、トレーナ側およびトレーニ側の入力に応じて変化する電力系統の応動を表示する。表示装置Ｅ１としては、表示装置Ｔ１と同様のものを用いることができる。表示装置Ｅ１は、１名のトレーニ毎にそれぞれ設けられている。
【００１７】
通話手段Ｅ２は、トレーナ側の通話手段Ｔ２と通話可能に設けられた電話であり、トレーニの発言を記録するための手段である。通話手段Ｅ２としては、通話手段Ｔ２と同様のものを用いることができる。通話手段Ｅ２による通話内容は、トレーニ通話記録Ｒ２として、演算部Ｃの訓練結果記録部５にて記録される。訓練時において、トレーニは、他の制御所の役割を担うトレーナに、通話手段Ｅ２を介して事故復旧作業の指示を行う。通話手段Ｅ２は、１名のトレーニ毎にそれぞれ設けられている。通話手段Ｅ２は、他のトレーニの通話手段Ｅ２と通話可能に設けることもでき、トレーニ間での相談等を記録することもできる。
【００１８】
撮影手段Ｅ３は、トレーニを撮影可能に設けられたカメラであり、トレーニの行動を記録するための手段である。撮影手段Ｅ３は、１名のトレーニに対してそれぞれ設けることもできるし、複数のトレーニを一度に撮影できるように配置しても良い。撮影手段Ｅ３は、トレーニの表情やトレーニの手元を撮影するように配置することが好ましい。撮影手段Ｅ３により撮影された映像は、訓練映像Ｒ３として、演算部Ｃの訓練結果記録部５にて記録される。
【００１９】
トレーニ卓Ｅ４は、演算部Ｃに対して操作情報Ｏを入力する入力部を有する。操作情報Ｏは、トレーニの操作に基づいた事故復旧操作データや電力系統の応動を調整するためのデータを含む。トレーニは、トレーニ卓Ｅ４を介して、訓練対象となる電力系統モデルＭにおいて事故を復旧するための操作情報Ｏを演算部Ｃに入力する。また、トレーニが訓練時においてトレーナへの報告や他のトレーニと相談を行った場合に、トレーニ卓Ｅ４を介して、相談があった旨のフラグを入力したり、相談内容のメモをテキスト入力したりする構成としても良い。
【００２０】
系統盤Ｅ５は、トレーナ側およびトレーニ側の入力に応じて変化する電力系統の応動を大画面で表示する表示装置である。トレーニは、トレーニ卓Ｅ４に加え、大画面表示を行う系統盤Ｅ５を用いて事故発生状況を監視し、事故復旧操作のための指令や操作を行うことができる。
【００２１】
（４）演算部
演算部Ｃは、トレーナ卓Ｔ３とトレーニ卓Ｅ４からの入力に基づいて電力系統の応動を模擬する処理部である。演算部Ｃは、ＣＰＵやメモリを含み所定のプログラムで動作するコンピュータや専用の電子回路で構成することができる。演算部Ｃは、電力系統モデル模擬部１、電力系統解析部２、電力系統応動記録部３、応動表示部４、訓練結果記録部５、を有する。以下、各処理部について詳細に説明する。
【００２２】
（ａ）電力系統モデル模擬部
電力系統モデル模擬部１は、トレーナ卓Ｔ３から入力された電力系統モデルＭに基づき、電力系統を模擬する処理部である。電力系統モデル模擬部１は入力された電力系統モデルＭに基づく演算処理を行い電力系統を模擬して、電力系統解析部２に出力する。
【００２３】
（ｂ）電力系統解析部
電力系統解析部２は、電力系統モデル模擬部１で模擬された電力系統において、トレーナ卓Ｔ４から入力された事故設定情報Ｉと、トレーニ卓Ｅ４から入力された操作情報Ｏとに基づいて、電力系統を解析する処理部である。電力系統解析部２は電力系統模擬演算を行う処理部と、電力系統の解析を行う処理部を含む。また、電力系統解析部２は、例えば事故設定情報Ｉを記憶する記憶部を有し、一定の周期で事故設定情報Ｉに含まれる事故シナリオや事故発生時刻を参照する。そして、事故発生時刻に到達した際に事故シナリオに基づく訓練事故を発生させ、例えば遮断器等の動作を模擬する。
【００２４】
事故設定情報Ｉに基づいた事故が発生した後に、トレーニが、その事故により停電した箇所等に対して復旧作業を行うことで、操作情報Ｏが入力される。電力系統解析部２は、一定の周期で操作情報Ｏを参照し、操作情報Ｏに応じて、遮断器等の機器の動作を含む電力系統の応動の模擬を行う。電力系統解析部２は、このように一定周期で参照される事故情報Ｉと操作情報Ｏに基づく電力系統の応動を解析し、電力系統の状態や発生した事故の履歴などを含む解析結果を電力系統応動記録部３に出力する。
【００２５】
（ｃ）電力系統応動記録部
電力系統応動記録部３は、電力系統解析部２から入力された解析結果を、時系列に記録する処理部である。すなわち、電力系統応動記録部３は、トレーニの操作情報Ｏを、電力系統における遮断器等の機器の状態や、火災等の事故の履歴とともに、時刻にひも付けて記録する。電力系統応動記録部３は、時系列で記録した系統解析結果を、応動表示部４および訓練結果記録部５に出力する。
【００２６】
（ｄ）応動表示部
応動表示部４は、トレーナ側の表示装置Ｔ１とトレーニ側の表示装置Ｅ１とに、時系列で記録された解析結果を出力する処理部である。応動表示部４は、トレーニ側の系統盤Ｅ５にも解析結果を出力する。
【００２７】
（ｅ）訓練結果記録部
訓練結果記録部５は、時系列で記録された解析結果と、通話手段Ｔ２のトレーナ通話記録Ｒ１、通話手段Ｅ２のトレーニ通話記録Ｒ２、撮影手段Ｅ３の訓練映像Ｒ３を、時系列で関連付けて訓練記録として記録する処理部である。図２に、訓練結果記録部５で記録される訓練記録の一例を示す。図２に示す通り、訓練記録においては、ある時間に対して、火災等の事故の履歴を示す故障データ、電力系統の機器の状態を示す機器データ、トレーニによる操作情報Ｏを示す操作データ、通話手段Ｔ２と通話手段Ｅ２の通話内容を示す通話データ、そして、撮影手段Ｅ３の訓練映像データがトレーニ毎にそれぞれひも付けられて保存されている。この訓練記録は、訓練結果記録部５に設けた記憶部等に保存することができる。また、訓練記録を例えば表形式にして、外部に出力することで表示装置等に表示することができる。
【００２８】
［２.作用］
以上のような本実施形態における、電力系統訓練のフローを図３を参照して説明する。訓練開始の前に、トレーナは、トレーナ卓Ｔ３を介して、電力系統モデルＭおよび事故設定情報Ｉを演算部Ｃに入力する。演算部Ｃの電力系統モデル模擬部１は、電力系統モデルＭに基づいて、電力系統を模擬する（ステップＳ０１）。電力系統解析部２は、事故設定情報Ｉに基づいて模擬された電力系統における事故発生前の初期条件等を模擬する（ステップＳ０２）。その後、事故設定情報Ｉに含まれる事故発生時刻となると、電力系統解析部２は事故シナリオに基づいて電力系統模擬演算を行い、事故時の電力系統を模擬する（ステップＳ０３）。
【００２９】
電力系統解析部２により事故時の電力系統が模擬されると、トレーニは、トレーナ卓Ｅ４を介して、その事故の復旧作業を行う。この復旧作業は、操作情報Ｏとして電力系統解析部２に入力される（ステップＳ０４）。電力系統解析部２は、入力された操作情報Ｏに基づいて電力系統模擬演算を行う（ステップＳ０５）。演算後、電力系統解析部２は、事故情報Ｉと操作情報Ｏに基づく電力系統の応動を解析し、電力系統の状態や発生した事故の履歴などを含む解析結果を出力する（ステップＳ０６）。
【００３０】
電力系統応動記録部３は、電力系統解析部２から入力された解析結果、すなわち、トレーニの操作情報Ｏ、電力系統における遮断器等の機器の状態や、火災等の事故の履歴を、時刻にひも付けて記録する。この時系列で記録された解析結果は、応動表示部４により、表示装置Ｔ１、Ｅ１および系統盤Ｅ５に表示される（ステップＳ０７）。解析の結果、事故が復旧していない場合には（ステップＳ０８のＮＯ）、ステップＳ０４に戻り、トレーニは、さらに復旧作業を行う。事故が復旧するまでは、ステップＳ０４〜Ｓ０８を繰り返し行う。一連の復旧作業において、トレーナ通話記録Ｒ１、トレーニ通話記録Ｒ２、訓練映像Ｒ３は、演算部Ｃに入力され記録されている。
【００３１】
解析の結果、事故が復旧している場合には（ステップＳ０８のＹＥＳ）、訓練結果記録部５は、時系列で記録された解析結果と、トレーナ通話記録Ｒ１、トレーニ通話記録Ｒ２、訓練映像Ｒ３を、時系列で関連付けて訓練記録を生成する。訓練結果記録部５は、訓練記録を保存するとともに、外部に出力する（ステップＳ０９）。このようにして、一連の復旧作業において発生した電力系統の応動、トレーニおよびトレーナの操作を時系列で関連づけた訓練記録が得られる。
【００３２】
［３．効果］
以上のような本実施形態の作用効果を以下に説明する。
（１）従来では、電力系統の運用訓練中に、トレーナおよびトレーニが、通話手段による通話内容や操作情報などの訓練の詳細をノートに詳細に記していた。訓練後にこのノートを元にトレーナおよびトレーニが会議を行い、訓練内容を把握し、問題点等の抽出を行っていた。しかし、このような手書きのメモでは、記録をとる負担が非常に大きい上に、数時間に渡る訓練の全てを記すことができる記載漏れも多かった。また、トレーナは、訓練時においてトレーニの手元を確認することができないため、トレーニの作業の詳細を把握することは困難であった。
【００３３】
一方、本実施形態の電力系統訓練シミュレータ装置では、演算部Ｃは、トレーナ卓Ｔ３から入力された電力系統モデルＭに基づき電力系統を模擬する電力系統モデル模擬部１と、模擬された電力系統において、トレーナ卓Ｔ３から入力された事故設定情報Ｉと、トレーニ卓Ｅ４から入力された操作情報Ｏとに基づいて、電力系統を解析する電力系統解析部２と、電力系統の解析結果を時系列に記録する電力系統応動記録部３と、表示装置Ｔ１、Ｅ１に、記録された解析結果を出力する応動表示部４と、トレーナ側およびトレーニ側の記録手段の記録内容と、記録された解析結果と、を時系列で関連付けて記録する訓練結果記録部５と、を備える。
【００３４】
従って、訓練結果記録部５は、電力系統運用訓練における操作履歴、模擬された電力系統の応動の記録に加え、トレーニおよびトレーナの言動など復旧操作情報以外の動作も含めて、時系列で関連付けて記録することができる。そのため、トレーナおよびトレーニは、訓練内容を手書きで記録する必要がなくなり、記録をとることに伴う負担を低減することができる。
【００３５】
（２）本実施形態では、記録手段として訓練中のトレーニを撮影する撮影手段Ｅ３を設けている。従って、訓練中のトレーニの表情や手元の様子を訓練記録に含めることができ、記録の負担を低減させることができる。トレーニの表情や手元の状況を把握することで、トレーニが何を基準に復旧作業をおこなったかを、より明確に把握することができる。
【００３６】
訓練時において、トレーニは、運用規定に則って、「○○よし！」と言うような呼称とともに、指差し確認を行う。撮像手段Ｅの訓練映像により、トレーナは、トレーニが正しく確認作業を行っていたかを把握することができる。また、訓練内容を見直して、新たに確認作業が必要なポイントを追加する等、運用規定を充実させることができる。
【００３７】
（３）本実施形態では、記録手段として通話手段Ｔ２、Ｅ２を設けている。従って、訓練中のトレーニおよびトレーナの通話内容を訓練記録に含めることができ、記録の負担を低減させることができる。通話内容を記録することで、他の制御所の役割を担うトレーナに対するトレーニの指示が的確であったかを確認することができる。また。トレーニ間での相談内容を記録することができるため、復旧作業の判断基準をより明確に把握することができる。
【００３８】
（４）本実施形態では、電力系統の解析結果として、電力系統機器の状態を示す機器データと、電力系統の事故の履歴を示す事故データを含めている。従って、トレーニの操作情報、訓練映像、通話内容と対応する電力系統の応動を的確に把握することができる。従って、記録をとることに伴う負担を低減することができる。
【００３９】
（５）本実施形態では、複数の通話手段Ｅ２、撮影手段Ｅ３およびトレーニ卓Ｅ４が設けられ、複数のトレーニについて記録手段の記録内容を時系列で関連付けて訓練記録として記録する。従って、訓練内容を手書きで記録する必要がなくなり、記録をとることに伴う負担を低減することができる。また、複数のトレーニがいる場合には、トレーナによる評価基準が曖昧になりがちであったが、正確な記録に基づいて適切に評価を行うことができる。
【００４０】
［第二の実施形態］
［１．構成］
第二の実施形態の電力系統訓練シミュレータ装置の構成は、基本的には第一の実施形態と同じである。ただし、図４に示す通り、演算部Ｃは、訓練記録再生部６を有する。訓練記録再生部６は、訓練結果記録部５が記録した訓練記録を受け取り、所定のフォーマットに加工して、表示装置に出力する処理部である。
【００４１】
訓練記録再生部６は、例えば図５に示すフォーマットに、訓練記録を加工する。上述の通り、訓練記録は、各時間におけるトレーニの訓練映像データ、通話データ、操作データ、および電力系統の機器の状態を示す機器データ、火災等の事故の履歴を示す故障データが保存されている。訓練記録再生部６は、訓練映像データを訓練映像表示部６１に、通話データおよび操作データをタイムライン表示部６２に、機器データを系統盤表示部６３に、故障データを事故履歴表示部６４に表示するように加工する。また、訓練記録再生部６は、訓練時間をタイムバーＴに表示する。
【００４２】
タイムバーＴは、表示画面の最下部に位置する訓練時間を表示するスライドバーである。タイムバーＴのタイムボタンＴ１が位置する時間に対応するデータを、訓練映像表示部６１，タイムライン表示部６２、系統盤表示部６３、事故履歴表示部６４が表示する。タイムボタンＴ１を左右に移動させることにより、所望の時間における各データを表示することができる。
【００４３】
訓練映像表示部６１は、タイムボタンＴ１が位置する時間に対応する訓練映像データを表示する。訓練映像表示部６１は、１名のトレーニを表示するものとしても良い。また、複数のトレーニがチームとして復旧作業を行った場合には、全てのトレーニの映像を表示することができる。図５では、２名のトレーニについて１つずつ訓練映像を表示しているが、例えばトレーニの表情を写した映像と手元を写した映像とを表示するように画面を別けても良い。
【００４４】
タイムライン表示部６２は、タイムボタンＴ１が位置する時間に対応する通話データおよび操作データの有無を表示する。タイムライン表示部６２も、１名または複数名のトレーニの通話データおよび操作データの有無を表示することができる。タイムライン表示部６２は、各トレーニについて、通話データがある場合には、「電話」欄において、その時間に電話のマークが表示される。表示画面上で電話のマークをクリックした場合、通話内容が再生される構成としてもよい。
【００４５】
また、各トレーニについて、操作データがある場合には、「操作」欄において、その時間にマウスのマークが表示される。表示画面上でマウスのマークをクリックした場合、操作情報Ｏがテキスト表示される構成としても良い。また、訓練時において、トレーナへの報告やトレーニ間の相談があった旨の入力がある場合に、「報告・相談」欄において、その時刻にフラグを立てる構成としてもよい。表示画面上でフラグをクリックした場合、訓練時に入力されたメモがテキスト表示される構成としても良い。
【００４６】
系統盤表示部６３は、タイムボタンＴ１が位置する時間に対応する機器データを表示する。系統盤表示部６３は、例えば開閉器の状態や母線、送電線などの電力系統を表示する系統盤として、機器データを表示しても良い。
【００４７】
事故履歴表示部６４は、タイムボタンＴが位置する時間に対応する故障データを表示する。事故履歴表示部６４は、「火災が発生しました。」というように事故データをテキストとして表示しても良い。
【００４８】
なお、上記は表示画面の一例を示しており、必ずしも、訓練映像表示部６１，タイムライン表示部６２、系統盤表示部６３、事故履歴表示部６４、およびタイムバーの全てを表示する必要はない。例えば、訓練映像表示部６１および系統盤表示部６３を表示する構成とすることもできる。または、重要度の高い表示部をトップ画面に表示し、重要度の低い表示部をタブ切り換えで表示できるようにしても良い。
【００４９】
［２．作用効果］
以上のような構成を有する本実施形態では、上記実施形態に加えて以下の作用効果を得ることができる。本実施形態では、訓練記録再生部６が、記録された解析結果と、記録手段の記録内容とを、時系列で１つの表示画面に表示するフォーマットに加工する。このようにして加工されたデータを外部の表示装置に出力することで、模擬された機器の状態を一画面に表示することが可能となる。
【００５０】
すなわち、訓練記録の各操作の関連性や訓練内容を一度に把握することができるため、トレーナの評価において見落としを防止することができる。例えば訓練映像表示部６１と系統盤表示部６３のみを表示する構成とした場合、系統盤に表示される電力系統の応動に対して、トレーニが指差し確認や呼称の発声を正しく行っているかを確認することができる。
【００５１】
また、全てのデータを時系列で確認することができるため、訓練内容の把握が容易となる。そのため、トレーニを評価する際に、総合的な観点から評価することができる。さらに、複数名のトレーニについて、訓練映像データ、通話データ、および操作データを表示する構成とした場合、複数名のトレーニの言動を正確に把握することができ、チームとしてのトレーニの復旧作業を評価することができる。
【００５２】
［第三の実施形態］
［１．構成］
第三の実施形態の電力系統訓練シミュレータ装置の構成は、基本的には第二の実施形態と同じである。ただし、図６に示す通り、演算部Ｃは、音声認識部７を有する。音声認識部７は、トレーナ通話記録Ｒ１およびトレーニ通話記録Ｒ２をテキスト形式のファイルに変換する処理部である。
【００５３】
音声認識部７は、認識部と抽出部を有する。認識部は、訓練結果記録部５からトレーナ通話記録Ｒ１およびトレーニ通話記録Ｒ２をＷＡＶ等の音声ファイル形式で受け取り、受け取った音声ファイルをテキスト形式のファイルに変換する。音声ファイルからテキストファイルへの変換は、Juliusなどの音声認識ソフトウェアを用いることができる。抽出部は、テキスト形式のファイルより先頭から任意の文字数までの文字列を抽出してテキストファイルとし、訓練記録再生部６へ出力する。
【００５４】
訓練記録再生部６は、図７に示す通り、受け取ったテキストデータをテキスト表示部６５に表示する。テキスト表示部６５は、表示画面上で電話のマークをクリックした場合に表示される。テキスト表示部６５には、テキストデータとともに、通話先の制御所等が表示される構成としても良い。
【００５５】
［２．作用効果］
以上のような本実施形態では、上記実施形態に加えて以下のような作用効果を奏することができる。本実施形態では、音声認識部７が、通話手段Ｔ２，Ｅ２の通話内容をテキストファイルに変換し、テキストファイルから任意の文字列を抽出する。そして訓練記録再生部６が、表示画面にテキストデータを表示する。従って、模擬された機器の状態を、通話内容を含めて、一画面に表示することが可能となる。
【００５６】
音声データである通話内容は、音声データを再生するまで内容が把握しづらいが、通話内容の一部をテキスト表示部６５に表示することで、トレーナおよびトレーニの記憶に頼っていた通話内容と潤夜の把握を明確にすることができる。従って、通話内容と対応する電力系統の応動を的確に把握することができ、記録をとることに伴う負担を低減することができる。
【００５７】
［第四の実施形態］
［１．構成］
第四の実施形態の電力系統訓練シミュレータ装置の構成は、基本的には第一の実施形態と同じである。ただし、図８に示す通り、演算部Ｃは、事故復旧時間算出部８と訓練評価部９とを有する。事故復旧時間算出部８は、訓練結果記録部５に記録されている訓練結果から、事故が復旧するまでの時間を求める処理部である。事故復旧時間算出部８は、訓練記録から、訓練開始から算出した過負荷や供給支給が復旧するまでの訓練時間を求め、訓練評価部９に出力する。
【００５８】
訓練評価部９は、トレーニが事故復旧までに要した訓練時間に基づいて、訓練内容を評価する処理部である。訓練評価部９は、記憶部と比較部と評価部を有する。記憶部には、トレーナにより予め設定された目標復旧時間が記憶されている。比較部は、目標復旧時間とトレーニが事故復旧までに要した時間の差分を求める。
【００５９】
評価部は、比較部が求めた差分に基づいて、例えば下記式（１）により訓練内容を点数で評価する処理部である。
ＩＦ  Ｘ＜＝Ｎ  ＴＨＥＮ  Ｙ＝１００      
ＥＬＳＥ  Ｙ＝１００―Ｑ＊｜Ｎ―Ｘ｜        …式（１）
Ｎ：トレーナにより入力された目標復旧時間
Ｘ：事故復旧時間算出部より入手した復旧時間
Ｙ：評価値
Ｑ：減点量
【００６０】
上記式（１）は、最大評価値を１００点として訓練内容を評価するための定式である。式（１）は、例えば目標復旧時間が５分の場合、トレーニが要した事故復旧時間が５分以下である場合を１００点とし、減点方法で採点する。例えば、トレーニが要した事故復旧時間が８分である場合、Ｙ＝１００ ―１０＊|５―８|となり、採点結果は７０点となる。評価部による採点結果は外部に出力することができる。
【００６１】
また、訓練評価部９には、トレーナが入力した電力系統モデルＭおよび事故設定情報Ｉを入力することができる。訓練評価部９は、評価部による採点結果とともに、その訓練に用いられた電力系統モデルＭおよび事故設定情報Ｉを出力するように構成すると良い。
【００６２】
［２．作用効果］
以上のような本実施形態では、上記実施形態に加えて以下のような作用効果を奏することができる。本実施形態では、事故復旧時間算出部８が、トレーニが事故復旧までに要した訓練時間を算出し、訓練評価部９は、訓練時間に基づいて、訓練内容を評価する。すなわち、演算部Ｃにより訓練内容を定量的に評価することが可能になる。従って、トレーナによる主観的な評価に加え、訓練時間に基づいた統計的な評価を行うことができる。
【００６３】
訓練時間に基づいた評価を電力系統モデルＭおよび事故設定情報Ｉと関連付けて蓄積し、採点の統計を取った場合、あるトレーニが苦手とする事故を特定することが可能になる。従って、訓練終了後にトレーニの苦手な事故を見つけ出し、次回の事故設定を同じまたは類似した事故とすることにより、効率良くＰＤＣＡサイクルを生み出すことができる。また、繰り返すべき訓練を実施して採点を繰り返すことで、トレーニの訓練成果の定着を評価することもできる。
【００６４】
［他の実施形態］
（１）電力系統訓練シミュレータ装置は、ＣＰＵ等を含むコンピュータを所定のプログラムで制御することによって実現できる。この場合のプログラムは、コンピュータのハードウェアを物理的に活用することで、上記のような各部の処理を実現するものである。
【００６５】
上記の各部の処理を実行する方法、プログラム及びプログラムを記録した記録媒体も、実施形態の一態様である。また、ハードウェアで処理する範囲、プログラムを含むソフトウェアで処理する範囲をどのように設定するかは、特定の態様には限定されない。たとえば、上記の各部のいずれかを、それぞれの処理を実現する回路として構成することも可能である。
【００６６】
（２）上記の各処理部、記憶部等は、共通のコンピュータにおいて実現してもよいし、ネットワークで接続された複数のコンピュータによって実現してもよい。たとえば、演算部Ｃの各部の構成を、トレーニ側の機器およびトレーナ側の機器とネットワークで接続されたサーバに構成してもよい。
【００６７】
（３）上記の実施形態では、トレーナの言動に関する情報を記録する記録手段として通話手段Ｔ２、トレーニの言動に関する情報を記録する記録手段として通話手段Ｅ２および撮影手段Ｅ３を設けた。トレーナおよびトレーニの言動に関する情報は、音声または映像のみとしても良いし、その両方を含めても良い。従って、トレーニ側に通話手段Ｅ３または撮影手段Ｅ３のみを設ける構成としても良い。
【００６８】
（４）上記の各実施形態は、適宜組み合わせることができる。すなわち、第四の実施形態の事故復旧時間算出部８および訓練評価部９を、第二又は第三の実施形態の構成と組み合わせた場合も、第四の実施形態と同様の作用効果を得ることができる。
【００６９】
（５）本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７０】
Ｔ１…トレーナ表示装置
Ｔ２…トレーナ通話手段
Ｔ３…トレーナ卓
Ｅ１…トレーニ表示装置
Ｅ２…トレーニ通話手段
Ｅ３…トレーニ撮影手段
Ｅ４…トレーニ卓
Ｅ５…系統盤
Ｃ…演算部
１…電力系統モデル模擬部
２…電力系統解析部
３…電力系統応動記録部
４…応動表示部
５…訓練結果記録部
６…訓練記録再生部
７…音声認識部
８…事故復旧時間算出部
９…訓練評価部
【図１】
2016001280.tif 000003
【図２】
2016001280.tif 000004
【図３】
2016001280.tif 000005
【図４】
2016001280.tif 000006
【図６】
2016001280.tif 000007
【図８】
2016001280.tif 000008
【図５】
2016001280.tif 000009
【図７】
2016001280.tif 000010